(57)【要約】【課題】  ポスト本体Ｐの中空部１３に液体が浸入しないようにする。【解決手段】  中空部１３を形成したポスト本体Ｐの基端を装飾体１０に固定し、先端を耳に形成したピアス孔に貫通させる。そして、中空部１３を形成したポスト本体の両端が、水等の液体が浸入するのを阻止する液密状態で閉塞される。すなわち、ポスト本体Ｐの両端に閉塞部１１，１２を形成するとともに、この閉塞部１１，１２の突合せ部分１１ａ，１２ａを、溶融またはポスト本体とほぼ同質の溶加材を用いて溶接したものである。【選択図】  図１
2018187282.tif 000002
【特許請求の範囲】
【請求項１】
中空のポスト本体の基端を装飾体に固定し、先端を耳に形成したピアス孔に貫通させるピアスポストであって、中空のポスト本体の両端が、水等の液体が浸入するのを阻止する液密状態で閉塞されたピアスポスト。
【請求項２】
上記基端及び先端には、ポスト本体の中心に向かって曲げられた閉塞部が設けられ、これら閉塞部が溶融又はポスト本体とほぼ同質の溶加材を用いて溶接されて液密状態に閉塞された請求項１に記載されたピアスポスト。
【請求項３】
上記基端側には、上記装飾体に形成された固定穴に挿入される挿入部が形成され、この挿入部が上記固定穴に挿入されて固定された請求項１に記載されたピアスポスト。
【発明の詳細な説明】
【技術分野】
【０００１】
この発明は、装飾体に固定して用いるピアスポストに関する。
【背景技術】
【０００２】
ピアスポストの素材として、金や、プラチナ、銀などが用いられることが多いが、その理由は、金やプラチナ、銀などは人体に害をほとんど及ぼさないからである。しかし、一方で、金やプラチナ、銀などは高価なので、ポスト本体を中空にしてその材料費を節約するようにしている。
【０００３】
例えば、直径0.8ｍｍ、長さ11.5ｍｍのポスト本体の場合に、それを充実体である丸棒で構成すると、一対のポスト本体は0.17ｇであるが、中空にすれば、一対のポスト本体は0.12ｇまで少なくなる。
このような理由から、特に高価な材料の場合に、ポスト本体は中空にして用いられるが、中空にした従来のピアスポストを示したのが図４である。
【０００４】
図４に示したピアスポストは、中空にしたポスト本体ｐの先端１をふさぐとともに、その基端２を開放している。
そして、開放された基端２側を装飾体３の金属部分に接触させ、それらを、ロウ材４を用いて溶接している。溶接終了後には、溶接の熱で酸化した部分や、溶接の際に用いられたフラックスを除去するために、希硫酸でポスト本体ｐの全体を洗浄するとともに、最終的にはそれを水洗いする。
【先行技術文献】
【特許文献】
【０００５】
【特許文献１】実公平０５−０１１７６２号公報
【発明の概要】
【発明が解決しようとする課題】
【０００６】
上記従来のピアスポストは、ロウ材４を用いて装飾体３に溶接されるが、多くの場合、ロウ材４にピンホールが形成される。このようなピンホールは、ロウ材４が固まる過程で、部分的に温度差が生じることによって形成されると考えられる。
いずれにしても、ロウ材４に複数のピンホールが形成されると、それらがつながって、ポスト本体ｐの中空部５を外気に連通させてしまうことがある。
【０００７】
もし、中空部５が外気に連通した状態で、ポスト本体ｐを、希硫酸で洗浄したり、水洗いをしたりすると、それら希硫酸や水がポスト本体ｐ内に浸入してしまう。
また、上記のように製造段階での水洗いだけでなく、ユーザーも使用過程でそれを水洗いすることもあるが、このときにも中空部５に水が浸入してしまう。
【０００８】
このようにして希硫酸や水などが中空部５に浸入してしまうと、それはなかなか抜けなくなり、中空部５内に滞留してしまう。
もし、希硫酸が滞留すれば、ポスト本体ｐの使用過程で漏れ出てくることがある。漏れ出た希硫酸が皮膚に付着したりすれば、皮膚が炎症を起したりする。また、希硫酸が被服に付着すれば、それにシミを着けたり穴を開けたりしてしまう。
【０００９】
また、上記中空部５に水が滞留したとしても、それが長期にわたると、水が変質したり菌などが繁殖したりするので、衛生的にも問題が発生する。
なお、ロウ材４を用いた溶接技術が稚拙な場合には、装飾体３とロウ材４との間に隙間ができてしまうが、その隙間から希硫酸や水が浸入してしまい、上記したと同様の問題が発生する。
【００１０】
この発明の目的は、ポスト本体の中空部に液体が浸入しないピアスポストを提供することである。
【課題を解決するための手段】
【００１１】
第１の発明は、中空のポスト本体の基端を装飾体に固定し、先端を耳に形成したピアス孔に貫通させるピアスポストに関する。
そして、ポスト本体の両端が、水等の液体が浸入するのを阻止する液密状態で閉塞されている。上記水等の液体とは、水が含まれるのはもちろんであるが、製造過程で使用される洗浄液等の化学薬品も含まれる。
【００１２】
第２の発明は、少なくとも上記基端にポスト本体の中心に向かって曲げられた閉塞部が設けられ、この閉塞部が、溶融又はポスト本体とほぼ同質の溶加材を用いて溶接されて液密状態に閉塞されている。
【００１３】
第３の発明は、少なくとも基端側には、装飾体に形成された固定穴に挿入される挿入部が形成され、この挿入部が上記固定穴に挿入されて固定される。
【発明の効果】
【００１４】
第１の発明のピアスポストによれば、ポスト本体の両端が水等の液体が浸入するのを阻止する液密状態で閉塞されているので、中空にしたポスト本体の中に、製造時やユーザーの使用時などで使われる洗浄液が浸入したりしない。
したがって、事後的に洗浄液が染み出して発生する従来のような問題はすべて解消できる。
【００１５】
第２の発明のピアスポストによれば、少なくとも基端側に設けた閉塞部が、溶融又はポスト本体とほぼ同質の溶加材を用いて溶接されているので、この基端側を、例えば、ポスト本体よりも融点の低いロウ材を用いて装飾体に溶接できる。言い換えると、ポスト本体を装飾体に溶接したとしても、閉塞部が溶融して穴が開いてしまうことがない。
【００１６】
第３の発明のピアスポストによれば、装飾体に形成した固定穴に、ポスト本体の挿入部を挿入することで、当該ピアスポストを装飾体に固定できるので、溶接のように熱を加える必要がない。加熱の必要がないので、閉塞部が溶融して穴が開いたりしない。
【図面の簡単な説明】
【００１７】
【図１】第１実施形態の断面図である。
【図２】第２実施形態の断面図である。
【図３】第３実施形態の断面図である。
【図４】従来のピアスポストを示す断面図である。
【発明を実施するための形態】
【００１８】
図１に示した第１実施形態において、装飾体１０に固定するポスト本体Ｐは、金やプラチナ、銀からなるシームレスパイプと図示していない金型とを相対回転させる転造によって絞り加工したものである。このようにして成形されたポスト本体Ｐは、その基端側及び先端側のそれぞれに、閉塞部１１，１２が形成されている。
【００１９】
一方、両閉塞部１１，１２の突合せ部分１１ａ，１２ａは、ポスト本体Ｐの母材そのものをレーザーによって溶融することによって、ポスト本体Ｐの両端は、その中空部１３に水等の液体が浸入するのを阻止する液密状態で閉塞される。
なお、上記一方の閉塞部１１は装飾体１０に固定されるが、他方の閉塞部１２は、耳に形成した図示していないピアス孔を貫通するものである。
【００２０】
また、この閉塞部１１，１２の突合せ部分１１ａ，１２ａは、ポスト本体Ｐとほぼ同質材の溶加材を用いて溶接してもよい。この場合にも、加熱手段にレーザーを用いれば、ピンポイントで熱を加えられるので、他の部分に熱による悪影響が及ばないという利点がある。
【００２１】
なお、図中符号１４は、ポスト本体Ｐの周方向に形成した溝で、この溝１４に図示していないピアスキャッチをはめるようにしている。
上記のようにしたポスト本体Ｐを装飾体１０に固定するときには、ポスト本体Ｐの基端側の閉塞部１１を装飾体１０の金属部分に接触させるとともに、その周囲を、ロウ材１５を用いて溶接する。
【００２２】
上記のようにしてロウ材１５を用いる場合に、そのロウ材１５はその融点が、ポスト本体Ｐの母材よりも低いものが選ばれる。したがって、このときの溶接熱によって、上記突合せ部分１１ａ，１２ａの溶着に影響を及ぼすことはない。
【００２３】
上記のようにして製造工程でポスト本体Ｐが装飾体１０に固定されたら、その溶接部分を希硫酸で洗浄するとともに、その後に水洗いをして希硫酸等を洗い流す。
上記のように希硫酸や水等を用いて洗浄するとき、これら希硫酸や水がポスト本体Ｐの中空部１３に浸入したりしない。
【００２４】
また、ユーザーの使用過程で、当該ピアスポストを水洗いしたとしても、その水が中空部１３に浸入しない。したがって、化学薬品や水が中空部１３に滞留せず、それらが滞留することによる悪影響は一切生じない。
なお、ポスト本体Ｐの先端の突合せ部分１２ａは、上記のようにロウ材１５を用いて溶接する際の熱の影響がほとんどなく、しかも、溶接個所がかなり小さいので、ロウ材を用いて溶接しても液密状態を保つことができる。したがって、ポスト本体Ｐの先端側の突合せ部分１２ａ側は、液密性が保たれれば、どのような溶接方法を用いてもよい。
【００２５】
図２に示した第２実施形態は、金やプラチナ、銀からなるシームレスパイプと図示していない金型とを相対回転させる転造によって絞り加工したものである。
そして、ポスト本体Ｐの両端に閉塞部１１，１２を形成し、これら閉塞部１１，１２を第１実施形態と同じように突合せ、それらの突合せ部分１１ａ，１２ａを液密状態で溶接している。
【００２６】
ただし、この第２実施形態は、ポスト本体Ｐの基端側に挿入部１６が形成されている点が第１実施形態と相違する。
上記挿入部１６は装飾体１０に形成された固定穴１７に挿入されるもので、その周囲には環状溝１８を軸方向に複数形成している。
【００２７】
また、上記挿入部１６の境界部分にはつば部１９を形成し、ポスト本体Ｐが必要以上に固定穴１７に押し込められないようにしている。ただし、このつば部１９は、固定穴１７に対してフタとしても機能し、固定穴１７に化学薬品や水等が浸入させないようにしている。
【００２８】
上記のようにした第２実施形態では、装飾体１０の固定穴１７に挿入部１６を挿入するとともに、これら挿入部１６と固定穴１７との間に接着剤２０を充填して、挿入部１６を固定穴１７に固定する。
なお、挿入部１６には複数の環状溝１８を形成したが、この環状溝１８に変えて、ねじ溝を形成してもよい。
【００２９】
このようにした第２実施形態においても、ポスト本体Ｐの中空部１３は、その両端が液密状態で閉塞されているので、第１実施形態と同じように、中空部１３に液体が浸入したりしない。したがって、中空部１３に液体が滞留していろいろな弊害をもたらすことはない。
【００３０】
図３に示した第３実施形態は、ポスト本体Ｐの基端側に、ポスト本体Ｐと同質材からなるプラグ２１をはめるとともに、これらポスト本体Ｐとプラグ２１とを、ポスト本体Ｐと同質材からなる溶加材を介して溶接し、液密状態で閉塞されたものである。
このようにポスト本体Ｐの基端側の構成が第１実施形態と相違するもので、その他はすべて第１実施形態と同じである。
【００３１】
なお、この第３実施形態において、溶加材を用いることなく、ポスト本体Ｐとプラグ２１とを直接溶融して接着して液密状態を維持してもよい。
【産業上の利用可能性】
【００３２】
装飾体に固定するピアスポストとして最適である。
【符号の説明】
【００３３】
１０…装飾体、Ｐ…ポスト本体、１１，１２…閉塞部、１３…中空部、１６…挿入部、１７…固定穴
【図１】
2018187282.tif 000003
【図２】
2018187282.tif 000004
【図３】
2018187282.tif 000005
【図４】
2018187282.tif 000006
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
中空のポスト本体の先端が液密に閉塞されるとともに、上記ポスト本体の基端が装飾体に接触して固定されるピアスポストであって、
上記ポスト本体の基端には、ポスト本体の基端を溶融してなる液密の閉塞部又はポスト本体と同質の溶加材を介して溶接してなる液密の閉塞部が形成されてなり、
上記装飾体と上記基端の接触部分の周囲とが、上記ポスト本体よりも融点が低いロウ材を用いて溶接されるピアスポスト。
【請求項２】
中空のポスト本体の先端は液密に閉塞されるとともに、上記ポスト本体の基端が装飾体に接触して固定されるピアスポストであって、
上記ポスト本体の基端には、ポスト本体と同質材からなるプラグがはめられ、上記ポスト本体とプラグとを溶融してなる液密の基端又は上記ポスト本体とプラグとがポスト本体と同質材の溶加材を介して溶接してなる液密の基端が形成されてなり、
上記装飾体と上記基端の接触部分の周囲とが、上記ポスト本体よりも融点が低いロウ材を用いて溶接されるピアスポスト。
【手続補正２】
【補正対象書類名】明細書
【補正対象項目名】００１１
【補正方法】変更
【補正の内容】
【００１１】
この発明は、中空のポスト本体の先端が液密に閉塞されるとともに、上記ポスト本体の基端が装飾体に接触して固定されるピアスポストを前提にしている。
【手続補正３】
【補正対象書類名】明細書
【補正対象項目名】００１２
【補正方法】変更
【補正の内容】
【００１２】
第１の発明は、上記ポスト本体の基端には、ポスト本体の基端を溶融してなる液密の閉塞部又はポスト本体と同質の溶加材を介して溶接してなる液密の閉塞部が形成されてなり、上記装飾体と上記基端の接触部分の周囲とが、上記ポスト本体よりも融点が低いロウ材を用いて溶接されることを特徴としている。
【手続補正４】
【補正対象書類名】明細書
【補正対象項目名】００１３
【補正方法】変更
【補正の内容】
【００１３】
第２の発明は、上記ポスト本体の基端には、ポスト本体と同質材からなるプラグがはめられ、上記ポスト本体とプラグとを溶融してなる液密の基端又は上記ポスト本体とプラグとがポスト本体と同質材の溶加材を介して溶接してなる液密の基端が形成されてなり、上記装飾体と上記基端の接触部分の周囲とが、上記ポスト本体よりも融点が低いロウ材を用いて溶接されることを特徴としている。
【手続補正５】
【補正対象書類名】明細書
【補正対象項目名】００１５
【補正方法】変更
【補正の内容】
【００１５】
また、少なくとも基端側に設けた閉塞部が、ポスト本体の基端を溶融してなる液密又はポスト本体と同質の溶加材を介して溶接してなる液密に形成されているので、この基端側を、例えば、ポスト本体よりも融点の低いロウ材を用いて装飾体に溶接できる。言い換えると、ポスト本体を装飾体に溶接したとしても、閉塞部が溶融して穴が開いてしまうことがない。
【手続補正６】
【補正対象書類名】明細書
【補正対象項目名】００１６
【補正方法】変更
【補正の内容】
【００１６】
第２の発明のピアスポストによれば、少なくとも基端が、ポスト本体と同質材からなるプラグがはめられ、上記ポスト本体とプラグとを溶融してなる液密又は上記ポスト本体とプラグとがポスト本体と同質材の溶加材を介して溶接してなる液密に形成されているので、この基端側を、例えば、ポスト本体よりも融点の低いロウ材を用いて装飾体に溶接できる。言い換えると、ポスト本体を装飾体に溶接したとしても、基端が溶融して穴が開いてしまうことがない。
【手続補正７】
【補正対象書類名】明細書
【補正対象項目名】００１７
【補正方法】変更
【補正の内容】
【００１７】
【図１】第１実施形態の断面図である。
【図２】参考例の断面図である。
【図３】第２実施形態の断面図である。
【図４】従来のピアスポストを示す断面図である。
【手続補正８】
【補正対象書類名】明細書
【補正対象項目名】００２５
【補正方法】変更
【補正の内容】
【００２５】
図２に示した参考例は、金やプラチナ、銀からなるシームレスパイプと図示していない金型とを相対回転させる転造によって絞り加工したものである。
そして、ポスト本体Ｐの両端に閉塞部１１，１２を形成し、これら閉塞部１１，１２を参考例と同じように突合せ、それらの突合せ部分１１ａ，１２ａを液密状態で溶接している。
【手続補正９】
【補正対象書類名】明細書
【補正対象項目名】００２６
【補正方法】変更
【補正の内容】
【００２６】
ただし、この参考例は、ポスト本体Ｐの基端側に挿入部１６が形成されている点が第１実施形態と相違する。
上記挿入部１６は装飾体１０に形成された固定穴１７に挿入されるもので、その周囲には環状溝１８を軸方向に複数形成している。
【手続補正１０】
【補正対象書類名】明細書
【補正対象項目名】００２８
【補正方法】変更
【補正の内容】
【００２８】
上記のようにした参考例では、装飾体１０の固定穴１７に挿入部１６を挿入するとともに、これら挿入部１６と固定穴１７との間に接着剤２０を充填して、挿入部１６を固定穴１７に固定する。
なお、挿入部１６には複数の環状溝１８を形成したが、この環状溝１８に変えて、ねじ溝を形成してもよい。
【手続補正１１】
【補正対象書類名】明細書
【補正対象項目名】００２９
【補正方法】変更
【補正の内容】
【００２９】
このようにした参考例においても、ポスト本体Ｐの中空部１３は、その両端が液密状態で閉塞されているので、第１実施形態と同じように、中空部１３に液体が浸入したりしない。したがって、中空部１３に液体が滞留していろいろな弊害をもたらすことはない。
【手続補正１２】
【補正対象書類名】明細書
【補正対象項目名】００３０
【補正方法】変更
【補正の内容】
【００３０】
図３に示した第２実施形態は、ポスト本体Ｐの基端側に、ポスト本体Ｐと同質材からなるプラグ２１をはめるとともに、これらポスト本体Ｐとプラグ２１とを、ポスト本体Ｐと同質材からなる溶加材を介して溶接し、液密状態で閉塞されたものである。
このようにポスト本体Ｐの基端側の構成が第１実施形態と相違するもので、その他はすべて第１実施形態と同じである。
【手続補正１３】
【補正対象書類名】明細書
【補正対象項目名】００３１
【補正方法】変更
【補正の内容】
【００３１】
なお、この第２実施形態において、溶加材を用いることなく、ポスト本体Ｐとプラグ２１とを直接溶融して接着して液密状態を維持してもよい。